(57)【要約】  上りリソースを解放するようユーザ装置を制御する方法及び装置が提供される。方法は、基地局装置が、上りリソースを解放するようＵＥを制御する指示情報を、ＵＥに送信することを主として含み、指示情報は、使用される上りリソースを解放するようＵＥを制御するために使用される。基地局装置は、ＵＥによって報告された、送信されることが必要とされるデータ量の情報に基づいて、ＵＥの上りリソースを解放するようＵＥを制御することが望ましいかどうかを判定でき、望ましい場合、上りリソースを解放するようＵＥを制御する指示情報をＵＥに送信し、あるいは、基地局装置は、上りリソースの使用状況に基づいて、上りリソースを解放するようＵＥを制御することが望ましいかどうかを判定し、望ましい場合、上りリソースを解放するようＵＥを制御する指示情報をＵＥに送信する。本発明の適用によって、ＵＥによって送信されることが必要とされるデータ量が少ない場合、ＵＥは迅速かつ確実に、上りリソースを解放するよう指示されることができる。
2011509581.tif 000002
【特許請求の範囲】
【請求項１】
上りリンクリソースを解放するようユーザ装置（ＵＥ）を制御する方法であって、
基地局が、上りリンクリソースを解放するよう前記ＵＥを制御する指示を、前記ＵＥに送信すること
を含み、前記指示は、前記ＵＥによって使用される前記上りリンクリソースを解放するよう前記ＵＥを制御するために使用される、方法。
【請求項２】
前記基地局が、前記上りリンクリソースを解放するよう前記ＵＥを制御する前記指示を前記ＵＥに送信する前に、
前記基地局が、前記ＵＥによって報告された、送信されるデータ量を受信し、前記データ量に従って、前記ＵＥの前記上りリンクリソースを解放するよう前記ＵＥが制御される必要があるかどうかを判定すること、又は、
前記基地局が、前記上りリンクリソースの使用状態に従って、前記ＵＥの前記上りリンクリソースを解放するよう前記ＵＥが制御される必要があるかどうかを判定すること
を更に含む、請求項１に記載の方法。
【請求項３】
前記上りリンクリソースは、共通エンハンスト専用チャネル（Ｅ−ＤＣＨ）リソースを含む、請求項１に記載の方法。
【請求項４】
前記上りリンクリソースを解放するよう前記ＵＥを制御する前記指示を、前記ＵＥに送信するステップは、
前記基地局が、Ｅ−ＤＣＨ絶対グラントチャネル（Ｅ−ＡＧＣＨ）信号を、前記ＵＥに送信すること
を含み、前記指示は、前記Ｅ−ＡＧＣＨ信号の制御情報内で運ばれる、請求項１〜３のいずれか一項に記載の方法。
【請求項５】
前記Ｅ−ＡＧＣＨ信号内で運ばれる前記制御情報は、特定の、絶対グラント、又は絶対グラント範囲、又は絶対グラントと絶対グラント範囲との組み合わせを含む、請求項４に記載の方法。
【請求項６】
前記特定の絶対グラントは、「ＩＮＡＣＴＩＶＥ」である、請求項５に記載の方法。
【請求項７】
前記上りリンクリソースを解放するよう前記ＵＥを制御する前記指示を、前記ＵＥに送信するステップは、
前記基地局が、ＨＳ−ＤＳＣＨのための共有制御チャネル（ＨＳ−ＳＣＣＨ）信号を、前記ＵＥに送信すること
を含み、前記指示は、前記ＨＳ−ＳＣＣＨ信号のオーダー内で運ばれる、請求項１〜３のいずれか一項に記載の方法。
【請求項８】
前記ＨＳ−ＳＣＣＨ信号によって運ばれる前記オーダーのフォーマットは、特定のビットの組み合わせである、請求項７に記載の方法。
【請求項９】
前記ＵＥが、前記上りリンクリソースを解放するよう前記ＵＥに指示する前記指示を運ぶメッセージを受信した後で、
前記ＵＥが、前記ＵＥによって使用される前記上りリンクリソースを、直ちに、又は前記上りリンクリソースを解放する指示内で運ばれる特定の時間に、又は事前定義された時間に、解放すること
を更に含む、請求項１〜３のいずれか一項に記載の方法。
【請求項１０】
上りリンクリソースを解放するようユーザ装置（ＵＥ）を制御する基地局であって、
上りリンクリソースを解放するよう前記ＵＥを制御する指示を、前記ＵＥに送信するように構成された、指示送信モジュール
を備え、前記指示は、前記ＵＥによって使用される前記上りリンクリソースを解放するよう前記ＵＥを制御するために使用される、基地局。
【請求項１１】
前記ＵＥによって報告された、送信されるデータ量を取得し、前記ＵＥによって使用される前記上りリンクリソースを解放するよう前記ＵＥが制御される必要があるかどうかを判定するように構成されたか、又は、前記上りリンクリソースの使用状態に従って、前記ＵＥによって使用される前記上りリンクリソースを解放するよう前記ＵＥが制御される必要があるかどうかを判定するように構成された、判定モジュール
を更に備える、請求項１０に記載の基地局。
【請求項１２】
前記指示送信モジュールは、
Ｅ−ＤＣＨ絶対グラントチャネル（Ｅ−ＡＧＣＨ）信号を、前記ＵＥに送信するように構成された、Ｅ−ＡＧＣＨ信号送信モジュールであって、前記指示は、前記Ｅ−ＡＧＣＨ信号の制御情報内で運ばれる、Ｅ−ＡＧＣＨ信号送信モジュールと、
ＨＳ−ＤＳＣＨのための共有制御チャネル（ＨＳ−ＳＣＣＨ）信号を、前記ＵＥに送信するように構成された、ＨＳ−ＳＣＣＨ信号送信モジュールであって、前記指示は、前記ＨＳ−ＳＣＣＨ信号のオーダー内で運ばれる、ＨＳ−ＳＣＣＨ信号送信モジュールと
のうちの少なくとも１つを備える、請求項１０又は１１に記載の基地局。
【請求項１３】
上りリンクリソースを解放するようユーザ装置（ＵＥ）を制御するシステムであって、請求項１０〜１２のいずれか一項に記載の基地局と、ＵＥとを備え、
前記基地局は、上りリンクリソースを解放するよう前記ＵＥを制御する指示を前記ＵＥに送信するように構成され、前記ＵＥは、受信した前記指示に従って、前記ＵＥによって使用される前記上りリンクリソースを解放するように構成される、システム。
【発明の詳細な説明】
【技術分野】
【０００１】
本出願は、２００８年１月７日に中国専利局に出願された、「Ｍｅｔｈｏｄ  ａｎｄ  Ｄｅｖｉｃｅ  ｆｏｒ  Ｃｏｎｔｒｏｌｌｉｎｇ  Ｕｓｅｒ  Ｅｑｕｉｐｍｅｎｔ  ｔｏ  Ｒｅｌｅａｓｅ  Ｕｐｌｉｎｋ  Ｒｅｓｏｕｒｃｅｓ（上りリソースを解放するようユーザ装置を制御する方法及び装置）」と題された、中国特許出願第２００８１００５５７１４．７号の優先権を主張するものであり、当該出願はその全体が参照により本明細書中に援用される。
【０００２】
本発明は、無線通信の分野に関し、特に、上りリンクリソースを解放するようユーザ装置（ＵＥ）を制御する方法、装置、及びシステムに関する。
【背景技術】
【０００３】
ＮｏｄｅＢは、第３世代移動体通信（３Ｇ）において基地局を表すために使用される用語である。ＮｏｄｅＢは、一般に、制御サブシステムと、伝送サブシステムと、無線周波数サブシステムと、中間周波数／ベースバンドサブシステムと、アンテナサブシステムとを含む。上りリンクシグナリング（信号）と不連続データパケットとによって発生する、ＵＥの伝送遅延を減少させるために、ＵＥの従来のランダムアクセス手順は強化される必要がある。強化ランダムアクセス手順は、ランダムアクセスチャネル（ＲＡＣＨ）の代わりに、エンハンスト専用チャネル（Ｅ−ＤＣＨ）を、上りリンク伝送のために使用する。
【０００４】
ある強化ＵＥランダムアクセス手順では、ＮｏｄｅＢが、下りリンクチャネルを介して、ＵＥに、上りリンクリソース割り当てメッセージを送信して、利用可能な上りリンクリソースをＵＥに通知する。上りリンクリソースは、主としてＥ−ＤＣＨリソースである。下りリンクチャネルは、捕捉インジケータチャネル（ＡＩＣＨ）、又は高速下りリンク共有チャネル（ＨＳ−ＤＳＣＨ）であってもよい。
【０００５】
上りリンクリソース割り当てメッセージを受信した場合、ＵＥは、そのＵＥ  ＩＤを運ぶメッセージを、ＮｏｄｅＢによってＵＥに割り当てられたＥ−ＤＣＨリソースを使用することによって、ＮｏｄｅＢに送信する。ＮｏｄｅＢは、受信したＵＥ  ＩＤに基づいて衝突解決を行い、衝突解決を通過したＵＥに、応答メッセージを送信する。ＵＥが、所定の時間内に応答メッセージを受信した場合、ＵＥは、ＮｏｄｅＢによってＵＥに割り当てられたＥ−ＤＣＨを継続して使用することができる。ＵＥが、所定の時間内に応答メッセージを受信しなかった場合、ＵＥは、ＮｏｄｅＢによって割り当てられたＥ−ＤＣＨの使用を停止する必要がある。
【発明の概要】
【発明が解決しようとする課題】
【０００６】
本発明を実現する間に、発明者は、従来技術においては、一般に、上りリンクリソースを解放するようＵＥを制御するために、無線ネットワークコントローラ（ＲＮＣ）が、ＵＥに、ＵＥがセル専用チャネル状態に切り換える必要があることを通知するということを見出した。ＮｏｄｅＢが、ＵＥによって使用されるＥ−ＤＣＨなどの、上りリンクリソースを解放するようＵＥを制御するための方法は提供されていない。
【０００７】
従って、本発明の目的は、上りリンクリソースを解放するようＵＥを制御する方法、装置、及びシステムを提供して、それにより、ＮｏｄｅＢが、ＵＥによって使用される上りリンクリソースを解放するようＵＥを制御できるようにすることである。
【課題を解決するための手段】
【０００８】
上記の目的を達成するために、本発明の実施形態は、以下の技術的解決法を提供する。
【０００９】
上りリンクリソースを解放するようＵＥを制御する方法は、
基地局が、上りリンクリソースを解放するようＵＥを制御する指示（情報）を、ＵＥに送信することを含み、該指示は、ＵＥによって使用される上りリンクリソースを解放するようＵＥを制御するために使用される。
【００１０】
上りリンクリソースを解放するようＵＥを制御する基地局は、
上りリンクリソースを解放するようＵＥを制御する指示（情報）を、ＵＥに送信するように構成された、指示送信モジュールを含み、該指示は、ＵＥによって使用される上りリンクリソースを解放するようＵＥを制御するために使用される。
【００１１】
上りリンクリソースを解放するようＵＥを制御するシステムは、基地局とＵＥとを含み、
基地局は、上りリンクリソースを解放するようＵＥを制御する指示（情報）をＵＥに送信し、ＵＥは受信した指示に従って、ＵＥによって使用される上りリンクリソースを解放する。
【００１２】
本発明の実施形態における上記の技術的解決法からわかるように、基地局は、上りリンクリソースを解放するようＵＥを制御する指示を運ぶ物理層シグナリング（信号）を、ＵＥに送信する。従って、基地局は、迅速かつ確実に、上りリンクリソースを解放するようＵＥに指示することができる。
【図面の簡単な説明】
【００１３】
【図１】本発明の一実施形態による、上りリンクリソースを解放するようＵＥを制御する方法のフローチャートである。
【図２】本発明の一実施形態による、上りリンクリソースを解放するようＵＥを制御する基地局を示す。
【図３】本発明の一実施形態による、上りリンクリソースを解放するようＵＥを制御するシステムを示す。
【発明を実施するための形態】
【００１４】
本発明の一実施形態では、基地局が、上りリンクリソースを解放するようＵＥを制御する指示（情報）を運ぶメッセージを、ＵＥに送信する。
【００１５】
基地局が、ＵＥによって報告された、送信されるデータ量を取得した後、基地局は、送信されるデータ量に従って、ＵＥの上りリンクリソースを解放するようＵＥを制御するかどうかを判定することができる。
【００１６】
あるいは、基地局は、上りリンクリソースの使用（状態）に従って、ＵＥの上りリンクリソースを解放するようＵＥを制御するかどうかを判定してもよい。
【００１７】
上りリンクリソースは、共通Ｅ−ＤＣＨを主として含み、メッセージは、物理層シグナリング（信号）メッセージであってもよい。物理層信号は、Ｅ−ＤＣＨ絶対グラントチャネル（Ｅ−ＡＧＣＨ）信号であってもよい。基地局は、Ｅ−ＡＧＣＨ信号をＵＥに送信し、Ｅ−ＡＧＣＨ信号の制御情報を使用して、上りリンクリソースを解放する指示を伝送する。
【００１８】
物理層信号は、ＨＳ−ＤＳＣＨのための共有制御チャネル（ＨＳ−ＳＣＣＨ）信号であってもよい。基地局は、ＨＳ−ＳＣＣＨ信号をＵＥに送信し、ＨＳ−ＳＣＣＨ信号のオーダーを使用して、上りリンクリソースを解放する指示を伝送する。
【００１９】
本発明の実施形態をより良く説明するために、Ｅ−ＡＧＣＨ信号及びＨＳ−ＳＣＣＨ信号について以下に説明する。
【００２０】
Ｅ−ＡＧＣＨは、ＮｏｄｅＢが上りリンクＥ−ＤＣＨリソースをスケジュールするための、新たな下りリンク共有制御チャネルである。Ｅ−ＡＧＣＨ上で運ばれる制御情報は、絶対グラント（許可）及び絶対グラント範囲を含む。ＵＥは、そのサービスグラントを、受信した絶対グラントに従って取得し、Ｅ−ＤＣＨトランスポートフォーマットコンビネーション（Ｅ−ＴＦＣ）を、サービスグラントに従って選択する。絶対グラントは、Ｅ−ＤＣＨの絶対電力オフセットを示す。値は、５ビットであってもよい。全部で３２の値がある。１つの値は「ＩＮＡＣＴＩＶＥ」であり、これは、ハイブリッド自動リピート要求プロセスの非アクティブ化を制御するために使用される。絶対グラント範囲は、１ビットによって記述されてもよく、これは、アクティブ及び非アクティブのＨＡＲＱプロセスが、現在のＨＡＲＱプロセスであるか、又は、全てのＨＡＲＱプロセスであるかを制御するために使用される。
【００２１】
Ｅ−ＤＣＨリソースを使用している各ＵＥは、プライマリＥ−ＤＣＨ無線ネットワーク一時識別子（Ｅ−ＲＮＴＩ）とセカンダリＥ−ＲＮＴＩとを有する。ＵＥは、スケジューリングベースの伝送及び非スケジューリングベースの伝送の絶対グラントを、プライマリ及びセカンダリＥ−ＲＮＴＩを使用して取得する。ＵＥによって、プライマリＥ−ＲＮＴＩを使用して取得された絶対グラントが、「ＩＮＡＣＴＩＶＥ」であり、取得された絶対グラント範囲が、制御されるＵＥの全てのＨＡＲＱプロセスを示す場合、ＵＥは、セカンダリＥ−ＲＮＴＩを使用して絶対グラントを取得することに切り換える。
【００２２】
ＨＳ−ＳＣＣＨは、ＨＳ−ＰＤＳＣＨに関連する制御情報を送信する下りリンク制御チャネルである。ＨＳ−ＳＣＣＨ信号は、通常モードのためのタイプ１、ＨＳ−ＳＣＣＨ低減モードのためのタイプ２、及び複数入力複数出力（ＭＩＭＯ）モードのためのタイプ３という、３つのフォーマットを有する。タイプ１及びタイプ３では、特別な制御ビットが、信号がＨＳ−ＳＣＣＨオーダーを運ぶかどうかを示すことができる。ＨＳ−ＳＣＣＨオーダー（命令）は、物理層オーダーを運ぶ。現在のところ、ＨＳ−ＳＣＣＨオーダーによって運ばれることが可能な物理オーダーは、不連続送信／不連続受信（ＤＴＸ／ＤＲＸ）オーダーである。オーダーは、ＨＳ−ＳＣＣＨオーダーによって運ばれる「オーダータイプ」と「オーダービット」とによって示される。オーダータイプ＝０００である場合、これは、ＤＴＸ／ＤＲＸオーダーが運ばれることを示し、オーダー＝「ｘｏｒｄ１，ｘｏｒｄ２，ｘｏｒｄ３」であり、ｘｏｒｄ１＝１／０は、ＤＲＸのアクティブ／非アクティブ制御を指示し、ｘｏｒｄ２＝１／０は、ＤＴＸのアクティブ／非アクティブ制御を指示し、ｘｏｒｄ３は予約ビットである。
【００２３】
上記では、Ｅ−ＡＧＣＨ及びＨＳ−ＳＣＣＨの現在の状況について説明した。２つのチャネルに関連する情報が変更された場合、変更された情報に従って、本発明の実施形態における処理が行われてもよい。
【００２４】
本発明の実施形態について、添付の図面を参照して詳細に説明する。本発明の実施形態において提供される方法及び装置は、全ての無線通信システム内の基地局に適用可能である。ＮｏｄｅＢを例に取ると、ＵＥの上りリンクリソースを解放するようＵＥを制御する方法の手順は、図１に示されている。手順は、以下のステップを含む。
【００２５】
ステップ１−１：ＮｏｄｅＢは、ＵＥによって報告された、送信されるデータ量に従って、ＵＥの上りリンクリソース使用情報を取得する。
【００２６】
ＵＥが、上りリンクリソース（主としてＥ−ＤＣＨリソース）を、物理層ランダムアクセス手順を介して正常に取得した後、ＵＥが上りリンクリソースを使用する際に、ＵＥは、規定された間隔で、スケジューリング情報をＮｏｄｅＢに報告する。スケジューリング情報は、主として、ＵＥによって送信される現在のデータ量を含む。
【００２７】
ＮｏｄｅＢが、ＵＥによって報告されたスケジューリング情報を受信した後、ＮｏｄｅＢは、ＵＥによって送信される現在のデータ量を取得し、データ量に従って、ＵＥの上りリンクリソースを解放するようＵＥが制御される必要があるかどうかを判定する。
【００２８】
ステップ１−２：ＮｏｄｅＢが、上りリンクリソースを解放するようＵＥが制御される必要があると判定した場合、ＮｏｄｅＢは、上りリンクリソースを解放する指示を運ぶ物理層信号メッセージを、ＵＥに送信する。
【００２９】
ＵＥによって送信される現在のデータ量が、規定された閾値未満である場合、ＮｏｄｅＢは、上りリンクリソースを解放するようＵＥが制御される必要があると判定する。次に、ＮｏｄｅＢは、上りリンクリソースを解放することの指示（情報）を運ぶ物理層信号メッセージを、ＵＥに送信する。指示は、ＵＥが上りリンクリソースを解放しなければならない時点（時間）を含んでもよい。物理層信号は、Ｅ−ＡＧＣＨ信号又はＨＳ−ＳＣＣＨ信号であってもよい。
【００３０】
Ｅ−ＡＧＣＨ信号を例に取ると、ＮｏｄｅＢは、前述の絶対グラント及び絶対グラント範囲を使用して、指示を記述してもよい。具体的には、特定の、絶対グラント、又は絶対グラント範囲、又は絶対グラントと絶対グラント範囲との組み合わせが、指示を記述するように定義されてもよい。
【００３１】
特定の状況では、指示は、絶対グラントと絶対グラント範囲との既存の組み合わせによって記述されてもよい。例えば、セルフォワードアクセスチャネル（ＣＥＬＬ−ＦＡＣＨ）状態におけるＥ−ＤＣＨ伝送が、ＮｏｄｅＢとＵＥとの間で採用される場合、ＵＥが利用できるＥ−ＤＣＨリソースの数は制限され、Ｅ−ＤＣＨリソースを使用するＵＥの数も制限される。この場合、ＵＥは、共通スケジューリングに基づく伝送を採用しなくてもよい。すなわち、ＵＥは、プライマリＥ−ＲＮＴＩとセカンダリＥ−ＲＮＴＩとの間を切り換える必要はなく、プライマリＥ−ＲＮＴＩのみがＵＥのために設定される。従って、指示は、絶対グラント「ＩＮＡＣＴＩＶＥ」と、ＵＥの全てのＨＡＲＱプロセスが制御されることを示す絶対グラント範囲との組み合わせによって記述されてもよい。
【００３２】
ＨＳ−ＳＣＣＨ信号を例に取ると、指示は、特定のＨＳ−ＳＣＣＨオーダーによって運ばれてもよい。例えば、指示は、オーダータイプ＝００１によって、又は別の特定のビットの組み合わせによって記述される。
【００３３】
ステップ１−３：ＵＥは、それが使用する上りリンクリソースを、受信した指示に従って解放する。
【００３４】
ＵＥが、指示を運ぶ物理層信号を受信した後、ＵＥは、それが使用する上りリンクリソースを、直ちに、又は指示に含まれる特定の時間に、解放する。
【００３５】
実際には、ＵＥが、その上りリンクリソースを、ＮｏｄｅＢの指示に従って解放した後で、データ伝送のためにＵＥによって開始される頻繁なランダムアクセスによって発生する、上りリンク干渉を回避するために、指示は、ＵＥによって開始される次のランダムアクセスの前の、待ち時間を伝送してもよい。待ち時間も、上記の絶対グラント、絶対グラント範囲、又はＨＳ−ＳＣＣＨオーダーによって記述されてもよい。一例示的方法は、以下の通りである。待ち時間が２５６ｍｓであり、ＮｏｄｅＢとＵＥとの間で合意された待ち時間の単位が１２８ｍｓである場合、ＮｏｄｅＢは、上記の絶対グラントを２に設定して、その値をＵＥに送信する。ＵＥは、待ち時間が経過すると、新たなランダムアクセス手順を開始する。
【００３６】
図２は、本発明の一実施形態による、上りリンクリソースを解放するようＵＥを制御する基地局を示す。基地局は、
上りリンクリソースを解放するようＵＥを制御する指示を、ＵＥに送信するように構成された、指示送信モジュールを含み、ここで、指示は、ＵＥによって使用される上りリンクリソースを解放するようＵＥを制御するために使用される。
【００３７】
基地局は、
ＵＥによって報告された、送信されるデータ量を取得し、データ量に従って、ＵＥの上りリンクリソースを解放するようＵＥが制御される必要があるかどうかを判定するように構成された、判定モジュールをさらに含んでもよい。データ量は、スケジューリング情報内で運ばれてもよい。具体的には、判定モジュールは、データ量が、規定された閾値未満である場合に、ＵＥの上りリンクリソースを解放するようＵＥが制御される必要があると判定してもよく、又は、判定モジュールは、上りリンクリソースの使用（状態）に従って、ＵＥの上りリンクリソースを解放するようＵＥが制御される必要があるかどうかを判定してもよい。判定モジュールが、ＵＥの上りリンクリソースを解放するようＵＥが制御される必要があると判定した場合、判定モジュールは、ＵＥによって使用される上りリンクリソースを解放するようＵＥを制御する指示を送信するよう、指示送信モジュールをトリガする。
【００３８】
指示送信モジュールは、Ｅ−ＡＧＣＨ信号送信モジュールと、ＨＳ−ＳＣＣＨ信号送信モジュールとのうちの少なくとも１つを含んでもよい。
【００３９】
Ｅ−ＡＧＣＨ信号送信モジュールは、Ｅ−ＡＧＣＨ信号の制御情報内で指示が運ばれ、Ｅ−ＡＧＣＨ信号をＵＥに送信するように構成される。Ｅ−ＡＧＣＨ信号の制御情報は、特定の、絶対グラント、又は絶対グラント範囲、又は絶対グラントと絶対グラント範囲との組み合わせを含む。
【００４０】
ＨＳ−ＳＣＣＨ信号送信モジュールは、ＨＳ−ＳＣＣＨ信号のオーダー内で指示が運ばれ、ＨＳ−ＳＣＣＨ信号をＵＥに送信するように構成される。ＨＳ−ＳＣＣＨオーダーは、特定の、ビットの組み合わせであってもよい。
【００４１】
図３は、本発明の一実施形態による、上りリンクリソースを解放するようＵＥを制御するシステムを示す。システムは、
上りリンクリソースを解放するようＵＥを制御することの指示を、ＵＥに送信するように構成された、基地局であって、該指示は、ＵＥによって使用される上りリンクリソースを解放するようＵＥを制御するために使用される、基地局と、
指示を運ぶメッセージをＮｏｄｅＢから受信し、指示に従って、ＵＥによって使用される上りリンクリソースを解放するように構成された、ＵＥと、を含む。
【００４２】
ＮｏｄｅＢは、判定モジュールと、指示送信モジュールと、Ｅ−ＡＧＣＨ信号送信モジュールと、ＨＳ−ＳＣＣＨ信号送信モジュールとを含んでもよい。
【００４３】
判定モジュールは、ＵＥによって報告された、送信されるデータ量を取得し、データ量に従って、ＵＥの上りリンクリソースを解放するようＵＥが制御される必要があるかどうかを判定し、ＵＥの上りリンクリソースを解放するようＵＥが制御される必要がある場合、指示送信モジュールに、指示を送信するよう通知するように構成される。データ量は、スケジューリング情報内で運ばれてもよい。具体的には、判定モジュールは、データ量が、規定された閾値未満である場合に、ＵＥの上りリンクリソースを解放するようＵＥが制御される必要があると判定してもよく、又は、判定モジュールは、上りリンクリソースの使用（状態）に従って、ＵＥの上りリンクリソースを解放するようＵＥが制御される必要があるかどうかを判定し、ＵＥの上りリンクリソースを解放するようＵＥが制御される必要がある場合、上りリンクリソースを解放するようＵＥを制御する指示を、ＵＥに送信してもよい。
【００４４】
指示送信モジュールは、判定モジュールが、ＵＥの上りリンクリソースを解放するようＵＥが制御される必要があると判定した場合に、上りリンクリソースを解放するようＵＥを制御する指示を、ＵＥに送信するように構成される。
【００４５】
指示送信モジュールは、Ｅ−ＡＧＣＨ信号送信モジュールと、ＨＳ−ＳＣＣＨ信号送信モジュールとのうちの少なくとも１つを含んでもよい。
【００４６】
Ｅ−ＡＧＣＨ信号送信モジュールは、Ｅ−ＡＧＣＨ信号の制御情報を使用して指示を記述し、Ｅ−ＡＧＣＨ信号をＵＥに送信するように構成される。Ｅ−ＡＧＣＨ信号の制御情報は、特定の、絶対グラント、又は絶対グラント範囲、又は絶対グラントと絶対グラント範囲との組み合わせを含む。
【００４７】
ＨＳ−ＳＣＣＨ信号送信モジュールは、ＨＳ−ＳＣＣＨ信号のオーダーを使用して指示を記述し、ＨＳ−ＳＣＣＨ信号をＵＥに送信するように構成される。ＨＳ−ＳＣＣＨオーダーは、特定のビットの組み合わせであってもよい。
【００４８】
上記からわかるように、本発明の実施形態に従って提供される方法及び装置が適用された後、基地局は、ＵＥによって送信されるデータ量が少ない場合に、迅速かつ確実に、上りリンクリソースを解放するようＵＥに指示することができる。これにより、上位層信号を介した制御によって発生する遅延が減少し、ＵＥによって開始される頻繁なランダムアクセスによって発生する上りリンク干渉が回避される。
【００４９】
前述の実施形態の説明を介して、当業者は、本発明が、ハードウェアのみを使用することによって、又はソフトウェアと、必要な汎用ハードウェアプラットフォームとを使用することによって実施されてもよいということを理解できる。このような理解に基づいて、本発明による技術的解決法は、ソフトウェア製品の形態で実施されてもよい。ソフトウェア製品は、コンパクトディスク読み取り専用メモリ（ＣＤ−ＲＯＭ）、ＵＳＢフラッシュディスク、又はリムーバブルハードディスクであってもよい、コンピュータ読み取り可能な記憶媒体内に記憶されてもよい。ソフトウェア製品は、本発明の実施形態において提供された方法をコンピュータ装置（パーソナルコンピュータ、サーバ、又はネットワーク装置）が実行することを可能にする、複数の命令を含む。
【００５０】
上記の説明は、本発明の例示的実施形態にすぎず、本発明の範囲を限定することを意図するものではない。当業者によって容易に導き出されることが可能な、任意の修正、変形、又は置換は、本発明の範囲に入る。従って、本発明の保護範囲は、添付の特許請求の範囲によって決まる。
【図１】
2011509581.tif 000003
【図２】
2011509581.tif 000004
【図３】
2011509581.tif 000005
【手続補正書】
【提出日】平成22年8月10日(2010.8.10)
【手続補正１】
【補正対象書類名】明細書
【補正対象項目名】０００９
【補正方法】変更
【補正の内容】
【０００９】
上りリンクリソースを解放するようＵＥを制御する方法は、
基地局が、上りリンクリソースを解放するようＵＥを制御する指示（情報）を、ＵＥに送信することを含み、該指示は、ＵＥによって使用される上りリンクリソースを解放するようＵＥを制御するために使用され、
前記上りリンクリソースを解放するよう前記ＵＥを制御する前記指示を、前記ＵＥに送信するステップは、
前記基地局が、Ｅ−ＤＣＨ絶対グラントチャネル（Ｅ−ＡＧＣＨ）信号を前記ＵＥに送信することであって、前記指示が前記Ｅ−ＡＧＣＨ信号の制御情報内で運ばれるステップ、又は
前記基地局が、ＨＳ−ＤＳＣＨのための共有制御チャネル（ＨＳ−ＳＣＣＨ）信号を、前記ＵＥに送信することであって、前記指示は前記ＨＳ−ＳＣＣＨ信号のオーダー内で運ばれるステップ
を含む。
【手続補正２】
【補正対象書類名】明細書
【補正対象項目名】００１０
【補正方法】変更
【補正の内容】
【００１０】
上りリンクリソースを解放するようＵＥを制御する基地局は、
上りリンクリソースを解放するようＵＥを制御する指示（情報）を、ＵＥに送信するように構成された、指示送信モジュールを含み、該指示は、ＵＥによって使用される上りリンクリソースを解放するようＵＥを制御するために使用され、
前記指示送信モジュールは、
Ｅ−ＤＣＨ絶対グラントチャネル（Ｅ−ＡＧＣＨ）信号を、前記ＵＥに送信するように構成された、Ｅ−ＡＧＣＨ信号送信モジュールであって、前記指示は、前記Ｅ−ＡＧＣＨ信号の制御情報内で運ばれる、Ｅ−ＡＧＣＨ信号送信モジュールと、
ＨＳ−ＤＳＣＨのための共有制御チャネル（ＨＳ−ＳＣＣＨ）信号を、前記ＵＥに送信するように構成された、ＨＳ−ＳＣＣＨ信号送信モジュールであって、前記指示は、前記ＨＳ−ＳＣＣＨ信号のオーダー内で運ばれる、ＨＳ−ＳＣＣＨ信号送信モジュールと
のうちの少なくとも１つを備える。
【手続補正３】
【補正対象書類名】特許請求の範囲
【補正対象項目名】全文
【補正方法】変更
【補正の内容】
【特許請求の範囲】
【請求項１】
上りリンクリソースを解放するようユーザ装置（ＵＥ）を制御する方法であって、
基地局が、上りリンクリソースを解放するよう前記ＵＥを制御する指示を、前記ＵＥに送信すること
を含み、前記指示は、前記ＵＥによって使用される前記上りリンクリソースを解放するよう前記ＵＥを制御するために使用され、
前記上りリンクリソースを解放するよう前記ＵＥを制御する前記指示を、前記ＵＥに送信するステップは、
前記基地局が、Ｅ−ＤＣＨ絶対グラントチャネル（Ｅ−ＡＧＣＨ）信号を前記ＵＥに送信することであって、前記指示が前記Ｅ−ＡＧＣＨ信号の制御情報内で運ばれるステップ、又は
前記基地局が、ＨＳ−ＤＳＣＨのための共有制御チャネル（ＨＳ−ＳＣＣＨ）信号を、前記ＵＥに送信することであって、前記指示は前記ＨＳ−ＳＣＣＨ信号のオーダー内で運ばれるステップ
を含む、方法。
【請求項２】
前記基地局が、前記上りリンクリソースを解放するよう前記ＵＥを制御する前記指示を前記ＵＥに送信する前に、
前記基地局が、前記ＵＥによって報告された、送信されるデータ量を受信し、前記データ量に従って、前記ＵＥの前記上りリンクリソースを解放するよう前記ＵＥが制御される必要があるかどうかを判定すること、又は、
前記基地局が、前記上りリンクリソースの使用状態に従って、前記ＵＥの前記上りリンクリソースを解放するよう前記ＵＥが制御される必要があるかどうかを判定すること
を更に含む、請求項１に記載の方法。
【請求項３】
前記上りリンクリソースは、共通エンハンスト専用チャネル（Ｅ−ＤＣＨ）リソースを含む、請求項１に記載の方法。
【請求項４】
前記Ｅ−ＡＧＣＨ信号内で運ばれる前記制御情報は、特定の、絶対グラント、又は絶対グラント範囲、又は絶対グラントと絶対グラント範囲との組み合わせを含む、請求項１に記載の方法。
【請求項５】
前記特定の絶対グラントは、「ＩＮＡＣＴＩＶＥ」である、請求項４に記載の方法。
【請求項６】
前記ＨＳ−ＳＣＣＨ信号によって運ばれる前記オーダーのフォーマットは、特定のビットの組み合わせである、請求項１に記載の方法。
【請求項７】
前記ＵＥが、前記上りリンクリソースを解放するよう前記ＵＥに指示する前記指示を運ぶメッセージを受信した後で、
前記ＵＥが、前記ＵＥによって使用される前記上りリンクリソースを、直ちに、又は前記上りリンクリソースを解放する指示内で運ばれる特定の時間に、又は事前定義された時間に、解放すること
を更に含む、請求項１〜３のいずれか一項に記載の方法。
【請求項８】
上りリンクリソースを解放するようユーザ装置（ＵＥ）を制御する基地局であって、
上りリンクリソースを解放するよう前記ＵＥを制御する指示を、前記ＵＥに送信するように構成された、指示送信モジュール
を備え、前記指示は、前記ＵＥによって使用される前記上りリンクリソースを解放するよう前記ＵＥを制御するために使用され、
前記指示送信モジュールは、
Ｅ−ＤＣＨ絶対グラントチャネル（Ｅ−ＡＧＣＨ）信号を、前記ＵＥに送信するように構成された、Ｅ−ＡＧＣＨ信号送信モジュールであって、前記指示は、前記Ｅ−ＡＧＣＨ信号の制御情報内で運ばれる、Ｅ−ＡＧＣＨ信号送信モジュールと、
ＨＳ−ＤＳＣＨのための共有制御チャネル（ＨＳ−ＳＣＣＨ）信号を、前記ＵＥに送信するように構成された、ＨＳ−ＳＣＣＨ信号送信モジュールであって、前記指示は、前記ＨＳ−ＳＣＣＨ信号のオーダー内で運ばれる、ＨＳ−ＳＣＣＨ信号送信モジュールと
のうちの少なくとも１つを備える、基地局。
【請求項９】
前記ＵＥによって報告された、送信されるデータ量を取得し、前記ＵＥによって使用される前記上りリンクリソースを解放するよう前記ＵＥが制御される必要があるかどうかを判定するように構成されたか、又は、前記上りリンクリソースの使用状態に従って、前記ＵＥによって使用される前記上りリンクリソースを解放するよう前記ＵＥが制御される必要があるかどうかを判定するように構成された、判定モジュール
を更に備える、請求項８に記載の基地局。
【請求項１０】
上りリンクリソースを解放するようユーザ装置（ＵＥ）を制御するシステムであって、請求項８又は９に記載の基地局と、ＵＥとを備え、
前記基地局は、上りリンクリソースを解放するよう前記ＵＥを制御する指示を前記ＵＥに送信するように構成され、前記ＵＥは、受信した前記指示に従って、前記ＵＥによって使用される前記上りリンクリソースを解放するように構成される、システム。
【国際調査報告】
2011509581.tif 000006
2011509581.tif 000007
2011509581.tif 000008
2011509581.tif 000009
2011509581.tif 000010
2011509581.tif 000011